(57)【要約】【課題】猿などの樹上生活が可能な動物を捕獲するためのもので、軽トラック等の小型輸送車両を用いて容易に搬送することができる動物捕獲檻を提供する。【解決手段】  動物捕獲檻１は、動物の捕獲空間を内部に有し、当該捕獲空間への獣類の進入が可能な開口部が設けられた天面ユニット１３を具備する檻本体１０と、前記開口部を介して、天面ユニット１３の上方から前記捕獲空間内に延設された垂れ壁２１とを備えており、垂れ壁２１は、上下方向にスライド移動可能に檻本体１０に連結される。【選択図】図１
0003220904.tif 000002
【実用新案登録請求の範囲】
【請求項１】
動物の捕獲空間を内部に有し、当該捕獲空間への獣類の進入が可能な開口部が設けられた天面を具備する檻本体と、
前記開口部を介して、前記天面の上方から前記捕獲空間内に延設された垂れ壁と
を備え、
前記垂れ壁は、上下方向にスライド移動可能に前記檻本体に連結される、
動物捕獲檻。
【請求項２】
前記垂れ壁は、下方向にスライド移動して前記檻本体に連結されることにより、前記捕獲空間内に収納可能に構成されている、
請求項１に記載の動物捕獲檻。
【請求項３】
前記垂れ壁は、上方向にスライド移動して前記檻本体に連結されることにより使用状態の位置で固定される一方、下方向にスライド移動して前記檻本体に連結されることにより、非使用状態の位置で固定される、
請求項１又は２に記載の動物捕獲檻。
【請求項４】
前記垂れ壁には、所定方向に突出する突起部が設けられ、
前記檻本体には、前記突起部と係合可能な係合部が設けられ、
前記垂れ壁は、スライド移動した後に前記突起部が前記係合部に係合されることにより、前記檻本体に連結される、
請求項１乃至３の何れかに記載の動物捕獲檻。
【請求項５】
前記突起部は、前記垂れ壁の上端に設けられている、
請求項４に記載の動物捕獲檻。
【考案の詳細な説明】
【技術分野】
【０００１】
本考案は、野山に生息する害獣等の動物、特に猿を捕獲するために用いる動物捕獲檻に関する。
【背景技術】
【０００２】
特許文献１には、猿のような樹上生活も可能な動物を捕獲することができる装置として、動物の捕獲空間を有し、当該捕獲空間への動物の進入が可能なように上方が開放され、前記捕獲空間を囲むように連続して配置された側面部を備え、前記側面部の上部が前記捕獲空間側へ曲設されており、当該上部から前記捕獲空間内に垂れ壁が延設されている動物捕獲檻が開示されている。この動物捕獲檻の場合、捕獲空間内に進入した動物は垂れ壁をよじ登ることができないため、その動物を確実に捕獲することができる。また、上方が開放された状態で動物の捕獲を行うことができるため、複数の動物をまとめて捕獲することができ、捕獲効率を高めることができる。
【先行技術文献】
【特許文献】
【０００３】
【特許文献１】特開２０１５−１１２０４０号公報
【考案の概要】
【考案が解決しようとする課題】
【０００４】
上記の従来の動物捕獲檻は、樹上生活も可能な動物を効率良く捕獲することができるものであり、このような捕獲檻を当該動物が生息する領域に容易に搬送することができると便宜である。
【０００５】
本考案は斯かる事情に鑑みてなされたものであり、その主たる目的は、容易に搬送可能な動物捕獲檻を提供することにある。
【課題を解決するための手段】
【０００６】
上述した課題を解決するために、本考案の一の態様の動物捕獲檻は、動物の捕獲空間を内部に有し、当該捕獲空間への獣類の進入が可能な開口部が設けられた天面を具備する檻本体と、前記開口部を介して、前記天面の上方から前記捕獲空間内に延設された垂れ壁とを備え、前記垂れ壁は、上下方向にスライド移動可能に前記檻本体に連結される。
【０００７】
この態様において、前記垂れ壁は、下方向にスライド移動して前記檻本体に連結されることにより、前記捕獲空間内に収納可能に構成されていてもよい。
【０００８】
また、上記態様において、前記垂れ壁は、上方向にスライド移動して前記檻本体に連結されることにより使用状態の位置で固定される一方、下方向にスライド移動して前記檻本体に連結されることにより、非使用状態の位置で固定されてもよい。
【０００９】
また、上記態様において、前記垂れ壁には、所定方向に突出する突起部が設けられ、前記檻本体には、前記突起部と係合可能な係合部が設けられ、前記垂れ壁は、スライド移動した後に前記突起部が前記係合部に係合されることにより、前記檻本体に連結されてもよい。
【００１０】
また、上記態様において、前記突起部は、前記垂れ壁の上端に設けられていてもよい。
【考案の効果】
【００１１】
本考案に係る動物捕獲檻によれば、車両の荷台等に載せて容易に搬送することが可能になる。
【図面の簡単な説明】
【００１２】
【図１】実施の形態に係る動物捕獲檻の構成を示す斜視図。
【図２】動物捕獲檻が備える進入部の構成を示す斜視図。
【図３】動物捕獲檻が備える進入部の構成を示す正面図。
【図４】使用状態における動物捕獲檻の構成を示す正面図。
【図５】使用状態における動物捕獲檻の構成を示す背面図。
【図６】本体と進入部との連結構造を説明するための図。
【図７】非使用状態における動物捕獲檻の構成を示す正面図。
【図８】非使用状態における動物捕獲檻の構成を示す正面図。
【考案を実施するための形態】
【００１３】
以下、本考案の好ましい実施の形態を、図面を参照しながら説明する。なお、以下に示す各実施の形態は、本考案の技術的思想を具体化するための方法及び装置を例示するものであって、本考案の技術的思想は下記のものに限定されるわけではない。本考案の技術的思想は、実用新案登録請求の範囲に記載された技術的範囲内において種々の変更を加えることができる。
【００１４】
図１は、本実施の形態に係る動物捕獲檻１の構成を示す斜視図である。図１に示すように、動物捕獲檻１は、動物の捕獲空間を有する本体１０と、その捕獲空間に動物を進入させるための進入部２０とを備えている。
【００１５】
なお、以下の説明において、本体１０を基準として、捕獲空間側を内側、それとは反対側を外側と定義する。また、動物捕獲檻１を地面に設置したときに、本体１０において地面と接する側を下側、それとは反対側を上側と定義する。
【００１６】
後述するように、進入部２０は、上下方向にスライド可能に本体１０に連結される。これにより、進入部２０の上端の高さを調節することが可能になる。本実施の形態の動物捕獲檻１は、２段階の高さ調節が可能になっている。動物捕獲檻１が動物を捕獲するために設置されている場合、すなわち使用状態の場合、進入部２０が上方にスライド移動され、その上端が高い位置となったときに本体１０に固定される。他方、動物捕獲檻１が非使用状態の場合、進入部２０が下方にスライド移動され、その上端が低い位置となったときに本体１０に固定される。
【００１７】
図１に示すように、本体１０は、動物捕獲檻１の側面部を構成する４枚の側面ユニット１１〜１１及び天面ユニット１３を備える。側面ユニット１１〜１１は、平面視で全体が矩形となるように配設され、互いの側縁部が連結されることにより固定される。これらの側面ユニット１１〜１１のうちの１つの側面ユニット１２には、扉１４が設けられている。この扉１４は、本体１０の捕獲空間内に餌を置いたり、捕獲空間内の動物を搬出したりする等の目的で作業員が動物捕獲檻１に出入りするために用いられる。なお、以下では、この側面ユニット１２が設けられている面を動物捕獲檻１の正面と定義する。
【００１８】
側面ユニット１１は、四角枠体１１ａと、その四角枠体１１ａに止着された溶接金網１１ｂとで構成されている。溶接金網１１ｂは、直径６ｍｍの鉄線が所定の間隔になるよう縦横に直角に配設され、その配設された鉄線の各交点が溶接されることにより得られる。
【００１９】
天面ユニット１３は、側面ユニット１１の場合と同様に、四角枠体１３ａと、溶接金網１３ｂとで構成されている。この四角枠体１３ａの各辺部と、各側面ユニット１１の上縁部とが連結されることにより、天面ユニット１３が側面ユニット１１に固定される。
【００２０】
天面ユニット１３には、進入部２０の外形より若干大きな外形の矩形状の開口部が設けられている。進入部２０は、この開口部に挿入された状態で、後述するように本体１０に連結される。
【００２１】
なお、天面ユニット１３の開口部の各角付近の４箇所には、下方に突出した棒状部材１５〜１５がそれぞれ設けられている。この棒状部材１５〜１５は、後述するように進入部２０を本体１０に連結する際に用いられる。
【００２２】
図２及び図３はそれぞれ、動物捕獲檻１が備える進入部２０の構成を示す斜視図及び正面図である。図２及び図３に示すように、進入部２０は、矩形状の４枚の垂れ壁２１〜２１で構成されている。垂れ壁２１は、表面が平らな金属板（例えば鉄板等）で構成されており、互いの側縁部が連結されることにより固定される。
【００２３】
垂れ壁２１の上縁には、外側に延設された鍔部２２が設けられている。この鍔部２２は、後述するように、動物捕獲檻１が非使用状態のときに、本体１０と連結するための連結部材として用いられる。
【００２４】
４枚の垂れ壁２１〜２１のうち、動物捕獲檻１の正面側及び背面側に位置する２枚の垂れ壁２１，２１の側縁部には、上下方向中央よりも下方に、外側に突設された突起部２３が設けられている。この突起部２３は、後述するように、動物捕獲檻１が使用状態のときに、本体１０と連結するための連結部材として用いられる。
【００２５】
図１に示すように、進入部２０は、本体の天面ユニット１３の開口部に挿入された状態で、本体１０に連結される。これにより、各垂れ壁２１は、天面ユニット１３の開口部を介して、天面ユニット１３の上方から捕獲空間に向けて垂れ下がるように配置される。
【００２６】
進入部２０には、その上部を封鎖する部材等が設けられていない。そのため、進入部２０は上方が開放されている。猿などの樹上生活が可能な動物は、このように上方が開放された進入部２０から動物捕獲檻１の内部に進入し、本体１０の捕獲空間内で捕獲される。
【００２７】
猿などの動物が上方から動物捕獲檻１内に進入した場合、上述したような垂れ壁２１が設けられていないと、側面ユニット１１を動物がよじ登り、進入部２０の上方から外部へ逃げ出してしまうおそれがある。これに対して、本実施の形態のように垂れ壁２１を設けた場合、動物が側面ユニット１１をよじ登ったとしても、その上方は天面ユニット１３と垂れ壁２１とで閉塞されているため、進入部２０の上方から外部へ逃げ出すことはできない。また、その動物が、飛び跳ねることにより垂れ壁２１の内側の面に到達したとしても、鉄板で構成された垂れ壁２１には把持可能な箇所が存在しないため滑ってしまい、その内側の面をよじ登ることができない。これにより、動物捕獲檻１内に進入した動物を確実に捕獲することが可能になる。
【００２８】
本実施の形態の動物捕獲檻１の場合、上記のとおり上方が開放された状態で動物の捕獲を行うことができるため、複数の動物をまとめて捕獲することができる。これにより、従来よりも捕獲効率を高めることができる。
【００２９】
次に、本体１０と進入部２０との連結構造について説明する。
図４及び図５はそれぞれ、使用状態における動物捕獲檻１の構成を示す正面図及び背面図である。なお、これらの図４及び図５においては、溶接金網１１ｂの図示が省略されている。
【００３０】
図４及び図５に示すとおり、天面ユニット１３の開口部を挟んだ左右２箇所には、下方に突出した棒状部材１５，１５がそれぞれ設けられている。また、全体として水平方向に延びる棒状の連結部材１６が、棒状部材１５，１５間に跨って横設されている。この連結部材１６は、外側に回転可能に棒状部材１５，１５の下端部に支持されている。
【００３１】
図６は、本体１０と進入部２０との連結構造を説明するための図である。この図６には、進入部２０を構成する垂れ壁２１及び連結部材１６のみが示されている。図６に示すとおり、連結部材１６は、水平方向に延び、一端部が棒状部材１５，１５の下端部に支持される第１部材１６ａ，１６ａと、第１部材１６ａ，１６ａの他端部から略直角に屈曲して下方向に延びる第２部材１６ｂ，１６ｂと、水平方向に延び、第２部材１６ｂ，１６ｂの下端同士を繋ぐ第３部材１６ｃとで構成されている。
【００３２】
動物捕獲檻１が使用状態にあるときは、図６に示すとおり、第３部材１６ｃの両端部付近の上端に、垂れ壁２１の突起部２３の下端が当接された状態となる。これにより、進入部２０は、自重により突起部２３を押圧した状態で本体１０に対して固定される。
【００３３】
上記のように本体１０と進入部２０とが連結されている場合において、その連結状態を解除するときは、２つの連結部材１６をそれぞれ外側に回転させる。これにより、第３部材１６ｃと突起部２３との当接が解除されて、進入部２０が下方向にスライド移動可能な状態となる。進入部２０が最も低い位置までスライド移動された後、後述するようにして本体１０に固定されることによって、動物捕獲檻１は非使用状態となる。
【００３４】
図７及び図８はそれぞれ、非使用状態における動物捕獲檻１の構成を示す正面図及び背面図である。なお、図７及び図８においては、溶接金網１１ｂの図示が省略されている。これらの図７及び図８に示すとおり、非使用状態においては、第３部材１６ｃと突起部２３とは当接されておらず、その代わりに、天面ユニット１３の上面に、垂れ壁２１の鍔部２２の下端が当接された状態になる。これにより、進入部２０は、自重により天面ユニット１３を押圧した状態で本体１０に対して固定される。
【００３５】
上述した非使用状態では、進入部２０の鍔部２２以外の部分は本体１０の捕獲空間内に収納されることになる。この場合、動物捕獲檻１の高さは本体１０の高さとほぼ等しく、コンパクト化が達成される。例えば、軽トラックなどの小型輸送車両の荷台に載せる場合、高さ制限が問題になる場合があるが、本実施の形態の場合、進入部２０を本体１０の捕獲空間内に収納した状態で本体１０に連結することにより、その制限内に高さを抑えることができる。そのため、小型輸送車両を用いて容易に搬送することが可能になる。
【００３６】
動物捕獲檻１は、非使用状態で小型輸送車両等に積載された後、猿などの捕獲対象が生息する領域に搬送され、当該領域の地面に設置される。その後、進入部２０を上方向にスライド移動させた後、上述したように、垂れ壁２１の突起部２３の下端を第３部材１６ｃの上端に当接した状態にすることによって、進入部２０を本体１０に固定する。その結果、動物捕獲檻１は使用状態となり、動物の捕獲が実施される。
【００３７】
（その他の実施の形態）
上記の実施の形態では、高さ方向の調節が２段階となっているが、３段階以上となるように構成されていてもよい。このような構成は、突起部２３を複数の高さ位置に設けること等によって実現可能である。
【００３８】
また、上記の実施の形態では、垂れ壁２１の上端に設けられた突起部である鍔部２２によって非使用状態における本体１０と進入部２０との連結が行われているが、垂れ壁２１のより低い位置に設けられた突起部によって当該連結が行われてもよい。但し、本実施の形態の場合のように、垂れ壁２１の上端に設けられた突起部を用いた方が、進入部２０のほぼ全体を本体１０の捕獲空間内に収納することが可能になるため好ましい。
【００３９】
また、上記の実施の形態では、垂れ壁２１側に設けられた突起部を本体１０側の部材に当接させることにより進入部２０を本体１０に連結しているが、連結構造はこれに限定されるわけではない。例えば、本体１０側の適宜の位置に孔部が設けられており、垂れ壁２１側に設けられた突起部をその孔部に挿入すること等によって導入部２０を本体１０に連結するようにしてもよい。
【符号の説明】
【００４０】
１  動物捕獲檻
１０  本体
１１，１２  側面ユニット
１１ａ  四角枠体
１１ｂ  溶接金網
１３  天面ユニット
１３ａ  四角枠体
１３ｂ  溶接金網
１４  扉
１５  棒状部材
１６  連結部材
２０  進入部
２１  垂れ壁
２２  鍔部
２３  突起部
【図１】
0003220904.tif 000003
【図２】
0003220904.tif 000004
【図３】
0003220904.tif 000005
【図４】
0003220904.tif 000006
【図５】
0003220904.tif 000007
【図６】
0003220904.tif 000008
【図７】
0003220904.tif 000009
【図８】
0003220904.tif 000010